(57)【要約】【課題】ユーザにとっての利便性を向上させ、低電圧時でも確実に必要な機能を維持する。【解決手段】制御部２は、低電圧検出部１８から低電圧検出信号を受け取ると、主表示部７に、表示要求信号を送り、低電圧状態である警告メッセージと低電圧モードへの移行を選択するための選択操作画面とを表示させる。次に、制御部２は、電力の供給先や供給量を制限して電池の残容量を必要な部位の動作に有効に用いるための低電圧モードへの移行要求の有無を調べる。すなわち、操作部９によって、低電圧モードへの移行が選択された場合は、電源切断タイマのカウントを停止し、低電圧モードへ移行し、電力の供給先や供給量を制限する制御を行う。【選択図】図１
2005295022.tif 000002
【特許請求の範囲】
【請求項１】
電波の送受信を制御する通信制御手段と、電池を有する電力供給手段と、前記電池の出力電圧を検出し、該出力電圧が所定値以下になると、低電圧検出信号を生成する電池電圧検出手段と、生成された前記低電圧検出信号に基づいて、前記電力供給手段を制御する電力供給制御手段とを備えてなる携帯端末であって、
前記電力供給制御手段は、前記低電圧検出信号を受け取ると、予め設定された電力供給制限情報に基づいて、一部又は全部の負荷に対して前記電力供給手段からの電力の供給を制限する低消費電力モードに移行することを特徴とする携帯端末。
【請求項２】
前記電力供給制限情報は、前記低消費電力モードへ移行するための移行条件情報を含むことを特徴とする請求項１記載の携帯端末。
【請求項３】
前記移行条件情報は、前記電力供給制御手段は、前記通信制御手段を用いた通信が行われている場合に、前記低電圧検出信号を受け取ると、前記低消費電力モードに移行することを含むことを特徴とする請求項２記載の携帯端末。
【請求項４】
前記移行条件情報は、前記電力供給制御手段は、前記低電圧検出信号を受け取っている場合に、操作手段から通信開始要求を受け取ると、前記低消費電力モードに移行することを含むことを特徴とする請求項２又は３記載の携帯端末。
【請求項５】
前記移行条件情報は、前記電力供給制御手段は、前記低電圧検出信号を受け取ると、表示手段に、低電圧状態であることを示すメッセージと、前記低消費電力モードへの移行の可否を選択するための選択操作画面とを表示させ、操作手段から、前記低消費電力モードへの移行要求を受けると、前記低消費電力モードに移行することを含むことを特徴とする請求項２、３又は４記載の携帯端末。
【請求項６】
前記電力供給制限情報は、前記低電力消費モードへ移行した場合に電力の供給制限を受ける供給先情報又は／及び対応する供給量情報を含むことを特徴とする請求項１乃至５のいずれか１に記載の携帯端末。
【請求項７】
前記電力供給制御手段は、前記低電圧検出信号を受け取った場合に、前記移行条件を満たさないときは、所定時間後に、前記電力供給手段からの電力の供給を停止させることを特徴とする請求項２乃至６のいずれか１に記載の携帯端末。
【請求項８】
前記電力供給制限情報は、前記電力供給制御手段が前記電力供給手段に残電力を供給させる供給先として少なくとも前記通信制御手段を含むことを特徴とする請求項１乃至７のいずれか１に記載の携帯端末。
【請求項９】
前記電力供給制御手段は、前記通信制御手段を用いた通信が行われている場合に、前記低電圧検出信号を受け取ると、前記低消費電力モードに移行すると共に、通信相手に低電圧下での通信である旨のメッセージを付加して送信することを特徴とする請求項１乃至８のいずれか１に記載の携帯端末。
【請求項１０】
前記電力供給制御手段は、前記電力供給手段からの電力の供給停止時に、操作手段から電力供給開始要求を受け取ると、低電圧状態の場合は、前記低消費電力モードに移行して、前記電力供給手段に電力の供給を開始させることを特徴とする請求項１乃至９のいずれか１に記載の携帯端末。
【請求項１１】
前記電力供給開始要求は、予め電力供給開始要求のために設定された単一のキーの操作又は複数のキーの連続した操作によって行われることを特徴とする請求項１０記載の携帯端末。
【請求項１２】
前記操作手段の所定のキーの操作又は複数のキーの連続した操作によって、前記電力供給開始要求と共に、所定の機能を実現するための要求が行われることを特徴とする請求項１０又は１１記載の携帯端末。
【発明の詳細な説明】
【技術分野】
【０００１】
この発明は、携帯電話機等の携帯端末に係り、電源電圧低下時にも通話機能等が維持される携帯端末に関する。
【背景技術】
【０００２】
近年、移動中や外出先でも使用可能であるという高い利便性によって、携帯電話機等の携帯端末が広く普及してきている。このような携帯端末は、電源としてバッテリが用いられ、このバッテリの消費電力を抑えるために、低消費電力のＣＰＵを採用する等工夫がなされている。
しかしながら、長時間継続して使用すると、電源の電圧低下が避けられず、例えば、通信中に切断してしまうというような不都合も生じていた。
このため、低電圧時でも、低電圧検出から電源切断処理へ至るまでの一定時間内に、例えば、緊急呼を検出した場合には、電源切断処理を中止して、通話の延長が可能であるようにした技術が提案されている（例えば、特許文献１、特許文献２参照。）。
【０００３】
また、緊急呼に限らず、低電圧時には、バッテリの消費電力を抑えるために、表示モードを動画モードから静止画モードに変更したり（例えば、特許文献３参照。）、通信中に音声信号の符号化率を変更したり（例えば、特許文献４参照。）する技術が提案されている。
また、低電圧を検知して電源が切断された後に、予備電力に切り換える技術（例えば、特許文献５参照。）や、例えば所定の操作入力によって、例えば無線送信の出力を抑制して消費電力を抑える技術（例えば、特許文献６参照）も提案されている。
【特許文献１】特開２００１−３２０４７８号公報
【特許文献２】特開２００１−３５２３７２号公報
【特許文献３】特開２００２−２２３２９１号公報
【特許文献４】特開平０６−１０４８２９号公報
【特許文献５】特開２００２−２８１６７９号公報
【特許文献６】特開平０６−０６９８５３号公報
【発明の開示】
【発明が解決しようとする課題】
【０００４】
解決しようとする第１の問題点は、例えば、バッテリの残電力の供給先が特定されておらず、場合により、不必要な箇所にも供給してしまうことがあり、貴重な残電力を最小限度必要な箇所に供給して必ずしも有効に消費させることができないという点である。
また、第２の問題点は、例えば、低電圧時に通信の継続は可能となるものの、一旦電源オフとなってしまうと、低電圧状態では、電源オンとして用いることが考慮されておらず、使い勝手が悪く、緊急時に使用できないという点である。
【０００５】
この発明は、上述の事情に鑑みてなされたもので、貴重な残電力を必要な箇所に有効に消費させることができ、低電圧時でも確実に必要な機能を果たすことができる携帯端末を提供することを第１の目的としている。
また、低電圧状態でも電源オンとすることができ、ユーザにとっての利便性を向上させ、低電圧時でも確実に必要な機能を果たすことができる携帯端末を提供することを第２の目的としている。
【課題を解決するための手段】
【０００６】
上記課題を解決するために、請求項１記載の発明は、電波の送受信を制御する通信制御手段と、電池を有する電力供給手段と、上記電池の出力電圧を検出し、該出力電圧が所定値以下になると、低電圧検出信号を生成する電池電圧検出手段と、生成された上記低電圧検出信号に基づいて、上記電力供給手段を制御する電力供給制御手段とを備えてなる携帯端末に係り、上記電力供給制御手段は、上記低電圧検出信号を受け取ると、予め設定された電力供給制限情報に基づいて、一部又は全部の負荷に対して上記電力供給手段からの電力の供給を制限する低消費電力モードに移行することを特徴としている。
【０００７】
また、請求項２記載の発明は、請求項１記載の携帯端末に係り、上記電力供給制限情報は、上記低消費電力モードへ移行するための移行条件情報を含むことを特徴としている。
【０００８】
また、請求項３記載の発明は、請求項２記載の携帯端末に係り、上記移行条件情報は、上記電力供給制御手段は、上記通信制御手段を用いた通信が行われている場合に、上記低電圧検出信号を受け取ると、上記低消費電力モードに移行することを含むことを特徴としている。
【０００９】
また、請求項４記載の発明は、請求項２又は３記載の携帯端末に係り、上記移行条件情報は、上記電力供給制御手段は、上記低電圧検出信号を受け取っている場合に、操作手段から通信開始要求を受け取ると、上記低消費電力モードに移行することを含むことを特徴としている。
【００１０】
また、請求項５記載の発明は、請求項２、３又は４記載の携帯端末に係り、上記移行条件情報は、上記電力供給制御手段は、上記低電圧検出信号を受け取ると、表示手段に、低電圧状態であることを示すメッセージと、上記低消費電力モードへの移行の可否を選択するための選択操作画面とを表示させ、操作手段から、上記低消費電力モードへの移行要求を受けると、上記低消費電力モードに移行することを含むことを特徴としている。
【００１１】
また、請求項６記載の発明は、請求項１乃至５のいずれか１に記載の携帯端末に係り、上記電力供給制限情報は、上記低電力消費モードへ移行した場合に電力の供給制限を受ける供給先情報又は／及び対応する供給量情報を含むことを特徴としている。
【００１２】
また、請求項７記載の発明は、請求項２乃至６のいずれか１に記載の携帯端末に係り、上記電力供給制御手段は、上記低電圧検出信号を受け取った場合に、上記移行条件を満たさないときは、所定時間後に、上記電力供給手段からの電力の供給を停止させることを特徴としている。
【００１３】
また、請求項８記載の発明は、請求項１乃至７のいずれか１に記載の携帯端末に係り、上記電力供給制限情報は、上記電力供給制御手段が上記電力供給手段に残電力を供給させる供給先として少なくとも上記通信制御手段を含むことを特徴としている。
【００１４】
また、請求項９記載の発明は、請求項１乃至８のいずれか１に記載の携帯端末に係り、上記電力供給制御手段は、上記通信制御手段を用いた通信が行われている場合に、上記低電圧検出信号を受け取ると、上記低消費電力モードに移行すると共に、通信相手に低電圧下での通信である旨のメッセージを付加して送信することを特徴としている。
【００１５】
また、請求項１０記載の発明は、請求項１乃至９のいずれか１に記載の携帯端末に係り、上記電力供給制御手段は、上記電力供給手段からの電力の供給停止時に、操作手段から電力供給開始要求を受け取ると、低電圧状態の場合は、上記低消費電力モードに移行して、上記電力供給手段に電力の供給を開始させることを特徴としている。
【００１６】
また、請求項１１記載の発明は、請求項１０記載の携帯端末に係り、上記電力供給開始要求は、予め電力供給開始要求のために設定された単一のキーの操作又は複数のキーの連続した操作によって行われることを特徴としている。
【００１７】
また、請求項１２記載の発明は、請求項１０又は１１記載の携帯端末に係り、上記操作手段の所定のキーの操作又は複数のキーの連続した操作によって、上記電力供給開始要求と共に、所定の機能を実現するための要求が行われることを特徴としている。
【発明の効果】
【００１８】
この発明の構成によれば、電力供給制御手段が、低電圧検出信号を受け取った場合に、予め設定された電力供給制限情報に基づいて、電力供給手段からの電力の供給先又は／及び供給量を制限する低消費電力モードに移行することによって、貴重な残電力を必要な箇所に有効に消費させることができ、低電圧時でも確実に必要な機能を果たすことができる。
また、電力供給制御手段が、電力供給手段からの電力の供給停止時に、操作手段から電力供給開始要求を受け取った場合に、低電圧状態であっても、電力供給手段に電力の供給を開始させることによって、低電圧状態でも電源オンとすることができ、ユーザにとっての利便性を向上させ、低電圧時でも確実に必要な機能を果たすことができる。
【発明を実施するための最良の形態】
【００１９】
電力供給制御手段が、低電圧検出信号を受け取った場合に、予め設定された電力供給制限情報に基づいて、電力供給手段からの電力の供給先又は／及び供給量を制限する低消費電力モードに移行することによって、貴重な残電力を必要な箇所に有効に消費させることができ、低電圧時でも確実に必要な機能を果たすという第１の目的を実現した。
また、電力供給制御手段が、電力供給手段からの電力の供給停止時に、操作手段から電力供給開始要求を受け取った場合に、低電圧状態であっても、電力供給手段に電力の供給を開始させることによって、低電圧状態でも電源オンとすることができ、ユーザにとっての利便性を向上させ、低電圧時でも確実に必要な機能を果たすという第２の目的を実現した。
【実施例１】
【００２０】
図１は、この発明の第１実施例である携帯電話機の構成を示すブロック図、図２は、同携帯電話機の記憶部の構成を示すブロック図、図３乃至図５は、同携帯電話機の動作を説明するための処理手順図、また、図６は、同携帯電話機の動作を説明するための説明図である。
【００２１】
この例の携帯電話機（携帯端末）１は、折畳可能な筐体を備えると共に、本来の通話機能のほか、例えば電子メールの送受信やインターネットに接続してホームページの閲覧が可能なデータ通信機能、内蔵された電子カメラによる撮影機能、及びテレビ電話機能を有し、図１に示すように、当該携帯電話機本体の構成各部を制御する制御部２と、制御部２が実行する処理プログラムや各種データ等を記憶するための記憶部３と、アンテナ４を介して無線電波の送受信を行い、所定のプロトコルに従って通話やデータ通信を行うために用いられる無線通信部５と、例えば周囲の風景や人物等を撮影するための電子カメラユニット６と、折畳時に内側となる側に配設され液晶表示装置からなり例えば文字メッセージや、機能設定画面、撮像画面、待受画面等が表示される主表示部７と、折畳時に外側となる側に配設され液晶表示装置からなる補助表示部８と、数字や文字の入力操作等を行うための多数の各種操作キー等からなる操作部９と、送話音声を入力するマイクロフォンからなる送話部１１と、受話音声を出力するスピーカからなる受話部１２と、着信時に着信音を発生すると共に、撮影時に擬似シャッタ音を発生するリンガ発生部１４と、ＬＥＤを有し例えば着信時や通話時に発光する発光部１５と、振動によって例えば着信を通知するための振動部１６と、電池からなる電源部１７と、電源部１７の出力電圧が所定値以下となると低電圧検出信号を発生する低電圧検出部１８とから概略構成されている。
【００２２】
制御部２は、ＣＰＵ（中央処理装置）等を有してなり、記憶部３に記憶された各種処理プログラムを実行し、記憶部３に確保された各種レジスタやフラグを用いて、構成各部を制御し、電力供給制御処理や、通信制御処理、操作制御処理、表示制御処理、撮像情報処理等を実行する。
記憶部３は、ＲＯＭ、ＲＡＭ等の半導体メモリ等からなり、図２に示すように、制御部２が実行する電力供給制御処理プログラムや、通信制御処理プログラムや、操作制御処理プログラム、表示制御処理プログラム、撮像情報処理プログラム、ブラウザ、メーラ等の各種処理プログラム等が記憶されたプログラム記憶領域３ａと、各機能の設定情報や通信履歴情報、電話帳情報、文字メッセージ情報等の各種情報が記憶された情報記憶領域３ｂとを有すると共に、この記憶部３には、制御部２がプログラム実行時に用いる各種レジスタやフラグが確保されている。
【００２３】
プログラム記憶領域３ａは、電力供給制御プログラムを記憶した電力供給制御プログラム記憶領域３ｐを有している。この電力供給制御プログラム記憶領域３ｐは、例えば、電源切断までの時間を計時するための計時プログラムが記憶された計時プログラム記憶領域３ｓと、警告報知処理プログラム記憶領域３ｔと、選択操作要求処理プログラム記憶領域３ｕと、低電圧モード制御処理プログラム記憶領域３ｖとを含んでいる。
電力供給制御処理プログラムには、電源部１７の出力電圧が正常電圧のときには、構成各部に対して電力の供給制限を行わない通常モード制御処理を行い、低電圧のときには、所定の移行条件下で、電力の供給先や供給量を制限して電池の残容量を必要な部位の動作に有効に用いるための低電圧モード制御処理を行い、上記移行条件以外のときには、一定時間経過後に、電源切断を行うための手順が記述されている。
【００２４】
すなわち、電力供給制御処理プログラムには、低電圧検出部１８から低電圧検出信号を受け取ると終了準備処理を行い、操作部９から低電圧モード移行要求を受け取ると、低電圧モード制御処理を行い、低電圧モード移行要求を受け取らないときは、一定時間経過後に、電源切断を行うための手順が記述されている。
上記終了準備処理は、作成中のデータ等を保護するためのデータ保護処理と、電源切断までの時間の計時を開始する処理と、低電圧状態を警告するために、主表示部７に警告メッセージを表示させたり、リンガ発生部１４を鳴動させたり、発光部１５を点滅発光させたりする警告報知処理と、低電圧モードへの移行の可否の選択操作を要求する選択操作要求処理とを含んでいる。
【００２５】
低電圧モード制御処理では、低電圧モードで、例えば、通話開始のためのダイヤル入力後の、主表示部７の表示機能、及び発光部１５の発光機能を停止し、電子メールの本文作成時に無線通信部５の送受信機能を停止し、送信時には出力を抑制するように制御する。
また、通信制御処理プログラムには、例えば、所定の電話番号に対する発呼処理等を行うための手順が記述されている。
また、情報記憶領域３ｂは、低消費電力モードへ移行するための移行条件情報、並びに低電力消費モードへ移行した場合に電力の供給制限を受ける供給先情報及び対応する供給量情報を含む電力供給制限情報が記憶されている電力供給制限情報記憶領域３ｑを有している。
【００２６】
この電力供給制限情報は、予め設定され、操作者によって操作部９を介して必要に応じて変更可能とされる。
この例では、上記移行条件情報は、低電圧検出信号を受け取ると、主表示部７に低電圧状態であることを示すメッセージと、低消費電力モードへの移行の可否を選択するための選択操作画面とを表示させ、操作部９から、低消費電力モードへの移行要求を受けると、低消費電力モードに移行することを含んでいる。
すなわち、低電圧時に、操作部９から低電圧モード移行操作要求を受け取ることによって、電力の供給先や供給量を制限して電池の残容量を必要な部位の動作に有効に用いるための低電圧モード制御処理を行い、これ以外のときには、一定時間経過後に、電源切断を行うこととなる。
【００２７】
また、この例では、低消費電力モードでは、例えば、通話時には、通話開始（ダイヤル入力）後の主表示部７、補助表示部８、及び発光部１５への電力供給が停止される。また、電子メールの本文作成時には、無線通信部５への電力供給が停止される。また、例えば文字入力がない場合には、主表示部７及び補助表示部８のバックライト装置への電力供給が停止される。
また、電子メールの送信時及び通話開始時に、無線通信部５への電力供給を開始させると共に、無線出力を抑制する。
【００２８】
無線通信部５は、ＲＦ回路や、変復調回路、ベースバンド処理回路等からなり、音声やデータを変調してアンテナ７を介して無線電波として送信すると共に、無線電波をアンテナ７を介して受信して音声やデータに復調し、所定のプロトコルに従って通話やデータ通信を行うために用いられる。
電子カメラユニット６は、上側筐体の折畳時に外側となる面に設けられ、被写体から到来した光が入射する撮影窓部と、撮影窓部の近傍に配置された例えば標準レンズからなるカメラレンズと、カメラレンズを介して結像した画像を光電変換して電気信号としての画像信号を出力するＣＣＤ撮像素子等からなる撮像デバイスと、撮像デバイスから送られてきた画像信号をＡ／Ｄ変換し、デジタル化した信号にガンマ変換、色空間変換等の画像処理を施す画像処理部とを有している。
【００２９】
主表示部７は、上側筐体の折畳時に内側となる面に配設され例えば透過型の液晶表示装置を有してなっている。液晶表示装置は、液晶パネルと、液晶パネルに照明光を与えるバックライト装置と、液晶パネルを駆動する駆動回路とを有している。
液晶パネルは、例えばＴＦＴ（Thin Film Transistor）構造の透過型の液晶表示パネルであり、ＴＦＴと透明画素電極とが多数形成されているＴＦＴ基板と、ＴＦＴ基板と数［μm］の間隙を介して対向して固定され、着色層（カラーフィルタ）が形成された対向基板と、上記間隙に封入された液晶層と、ＴＦＴ基板、対向基板の外側に配設された一対の偏向板とを有している。
補助表示部８は、上側筐体の折畳時に外側となる面の中央部に配設され、例えば透過型の液晶表示パネルを有してなり、現在時刻や着信通知等の表示がなされる。
【００３０】
操作部９は、ブラウザを起動させてホームページを閲覧するためのブラウザモード選択キー、操作を決定するために用いられる決定キー、操作メニューを表示させるためのメニューキー、文字入力モードを切り換えるための入力モード切替えキー、電話帳を登録したり検索するための電話帳キー、音声通話を行うために用いる通話開始キー、操作を１つ前の状態へ戻すクリアキー、及び電源の入切りを行った各種操作を中止するために用いられる電源キーを含む機能キー群と、主表示部４７に表示された表示画面上のカーソルを上下左右方向へ移動させるためのカーソルキーと、例えば数字等を入力するためのテンキー群とを有している。
【００３１】
次に、図３乃至５を参照して、上記構成の携帯電話機１の動作について説明する。
電源投入後、制御部２は、操作者による入力操作や着信を待機する待受モードに入り、主表示部７には待受画面を表示させる。
この後、制御部２が低電圧検出部１８から低電圧検出信号を受け取らない場合（正常電圧時）には、制御部２は、電力の供給制限を行わない通常モード制御処理を行う（ステップＳＡ１１（図３））。すなわち、制御部２は、携帯電話機１の構成各部へ電源部１７からの電力供給制限を行うことなく、電力が供給されるように制御する。
次に、制御部２は、電源部１７の出力電圧を監視し、低電圧検出部１８から低電圧検出信号を受け取ると（ステップＳＡ１２、（ステップＳＣ１１（図５））、ステップＳＡ１３（ステップＳＣ１２）へ進み、これ以外の場合は、ステップＳＡ１１（ステップＳＣ１１）へ戻る。
【００３２】
ステップＳＡ１３では、制御部２は、終了準備処理を行う。すなわち、制御部２は、まず、データ保護を行う（ステップＳＢ１１（図４））。ここで、制御部２は、例えば、作成中の電子メール本文のデータを記憶部３の所定の領域に退避させる。
次に、制御部２は、電源切断タイマのカウントを開始する（ステップＳＢ１２、ステップＳＣ１２））。
次に、制御部２は、主表示部７に、表示要求信号を送り（ステップＳＣ１３）、低電圧状態である警告メッセージと低電圧モードへの移行を選択するための選択操作画面（図６参照）とを表示させる（ステップＳＢ１３、ステップＳＣ１５）。
次に、制御部２は、リンガ発生部１４へ鳴動開始要求信号を送り（ステップＳＣ１４）、リンガ発生部１４を鳴動させる（ステップＳＢ１４、ステップＳＣ１６）、さらに、発光部１５に点滅表示させる。
【００３３】
次に、制御部２は、電力の供給先や供給量を制限して電池の残容量を必要な部位の動作に有効に用いるための低電圧モードへの移行要求の有無を調べる（ステップＳＡ１４、ステップＳＣ１７）。すなわち、操作部９によって、低電圧モードへの移行が選択された場合は、制御部２は、ステップＳＡ１５（ステップＳＣ１８）へ進み、操作部９によって、低電圧モードへの移行が選択されない場合は、ステップＳＡ１６へ進む。
ステップＳＡ１５では、制御部２は、電源切断タイマのカウントを停止し、さらに、ステップＳＡ１７（ステップＳＣ１８）で、低電圧モードへ移行し、電力の供給先や供給量を制限する制御を行う。
【００３４】
この例では、低消費電力モードでは、例えば、通話時には、通話開始（ダイヤル入力）後の主表示部７、補助表示部８、及び発光部１５への電力供給が停止される。また、電子メールの本文作成時には、無線通信部５への電力供給が停止される。また、例えば文字入力がない場合には、主表示部７及び補助表示部８のバックライトへの電力供給が停止される。
また、電子メールの送信時及び通話開始時に、無線通信部５への電力供給を開始させると共に、無線出力を抑制する。
【００３５】
この後、低電圧モードでも機能維持が困難な所定値以下の低電圧が検出された場合は、電源切断タイマのカウントを再開し（ステップＳＣ１９）、制御部２は、電源切断タイマがカウントオーバとなったか否か判断し（ステップＳＣ２０）、カウントオーバとなった場合は、電源切断処理に移行し、主表示部７に、電源切断メッセージ表示要求信号を送る（ステップＳＣ２１）。
これにより、主表示部７は、電源切断メッセージを表示し（ステップＳＣ２２）、制御部２は、電源切断を実行する（ステップＳＡ１８、ステップＳＣ２３）。
一方、ステップＳＡ１６では、制御部２は、電源切断タイマがカウントオーバとなったか否か判断し、カウントオーバとなった場合は、電源切断を実行する（ステップＳＡ１８）。
【００３６】
このように、この例の構成によれば、制御部２は、低電圧検出部１８から低電圧検出信号を受け取ると、予め設定され、記憶部３に記憶された電力供給制限情報に基づいて、電源部１７からの電力の供給先又は／及び供給量を制限する低消費電力モードに移行する。
すなわち、制御部２は、低電圧検出部１８から低電圧検出信号を受け取ると、主表示部７に、表示要求信号を送り、低電圧状態である警告メッセージと低電圧モードへの移行を選択するための選択操作画面とを表示させ、電力の供給先や供給量を制限して電池の残容量を必要な部位の動作に有効に用いるための低電圧モードへの移行要求の有無を調べ、操作部９によって、低電圧モードへの移行が選択された場合は、電源切断タイマのカウントを停止し、低電圧モードへ移行し、電力の供給先や供給量を制限する制御を行う。
したがって、貴重な残電力を、例えば無線通信部５等必要な箇所に有効に消費させることができ、低電圧時でも確実に必要な機能を果たすことができる。
【実施例２】
【００３７】
図７は、この発明の第２実施例である同携帯電話機の動作を説明するための処理手順図である。
この例が上述した実施例１と大きく異なるところは、通信が行われている場合に、低電圧検出信号を受け取ると、自動的に低電圧モードに移行するように構成した点である。
これ以外の構成は、上述した実施例１の構成と略同一であるので、その説明を簡略にする。
この例では、記憶部３の電力供給制限情報記憶領域３ｑに記憶された移行条件情報は、無線通信部５を介して通信が行われている場合に、低電圧検出信号を受け取るか、又は低電圧検出信号を受け取っている場合に、操作部９から通信開始要求を受け取ったときに、低消費電力モードに移行することを含んでいる。
【００３８】
次に、図７を参照して、この例の携帯電話機の動作について説明する。
上述した実施例１の場合と同様に、制御部２が低電圧検出部１８から低電圧検出信号を受け取らない場合（正常電圧時）には、制御部２は、電力の供給制限を行わない通常モード制御処理を行う（ステップＳＤ１１（図７））。すなわち、制御部２は、携帯電話機１の構成各部へ電源部１７からの電力供給制限を行うことなく、電力が供給されるように制御する。
次に、ステップＳＤ１２で、制御部２は、電源部１７の出力電圧を監視し、低電圧検出部１８から低電圧検出信号を受け取ると、ステップＳＤ１３へ進み、これ以外の場合は、ステップＳＤ１１へ戻る。
【００３９】
ステップＳＤ１３では、制御部２は、終了準備処理を行う。すなわち、制御部２は、データ保護を行う。この例では、電源切断タイマのカウント開始や、主表示部７への警告メッセージ表示等は、必要に応じて後に実行する。
次に、制御部２は、通信中か否かの判断を行う（ステップＳＤ１４）。通信中である場合には、制御部２は、ステップＳＤ１５へ進み、通信中でない場合は、制御部２は、ステップＳＤ１６へ進む。
ステップＳＤ１５では、制御部２は、低電圧モードへ移行し、電力の供給先や供給量を制限する制御を行う。
ステップＳＤ１６では、制御部２は、主表示部７に、低電圧状態である旨の警告メッセージと低電圧モードへの移行の可否を選択するための選択操作画面とを表示させる。
【００４０】
次に、制御部２は、ステップＳＤ１７で、低電圧モードへの移行要求の有無を調べる。すなわち、操作部９によって、低電圧モードへの移行が選択された場合は、制御部２は、ステップＳＤ１５へ進み、操作部９によって、低電圧モードへの移行が選択されない場合は、ステップＳＤ１８へ進む。
ステップＳＤ１８では、制御部２は、電源切断タイマのカウントを開始する。
次に、制御部２は、ステップＳＤ１９へ進み、操作部９によって、通話開始操作が行われたか否か判断する。制御部２は、通話開始操作が行われた場合は、ステップＳＤ２０へ進み、操作部９によって、通話開始操作が行われない場合は、ステップＳＤ２１へ進む。
【００４１】
ステップＳＤ２０では、制御部２は、電源切断タイマのカウントを停止し、この後、ステップＳＤ１５へ進む。
ステップＳＤ２１では、制御部２は、電源切断タイマがカウントオーバとなったか否か判断し、カウントオーバとなった場合は、電源切断を実行する（ステップＳＤ２２）。
この例では、例えば、通話開始後の主表示部７、補助表示部８、及び発光部１５への電力供給が停止される。また、主表示部７及び補助表示部８のバックライトへの電力供給が停止される。また、無線通信部５からの無線出力を抑制する。
この後、低電圧モードでも機能維持が困難な所定値以下の低電圧が検出された場合は、電源切断タイマのカウントを再開し、制御部２は、電源切断タイマがカウントオーバとなったか否か判断し、カウントオーバとなった場合は、電源切断を実行する（ステップＳＤ２２）。
【００４２】
この例の構成によれば、上述した実施例１と略同様の効果を得ることができる。
加えて、低電圧状態であっても、操作者は特に操作をすることなく円滑に、かつ確実に通信を継続することができる。
【実施例３】
【００４３】
図８は、この発明の第３実施例である同携帯電話機の動作を説明するための処理手順図である。
この例が上述した実施例１と大きく異なるところは、電源オフ時に、操作部の所定のキーが押下されると、低電圧状態であっても、電源がオンとされるように構成した点である。
これ以外の構成は、上述した実施例１の構成と略同一であるので、その説明を簡略にする。
この例では、操作部９を構成する各種キーのうち、低電圧状態で電源オフ後に、電源オンとするためのキーとしては、電源キー以外の所定のキー（例えば、テンキー「１」等）が選定される。
【００４４】
次に、図８を参照して、この例の携帯電話機の動作について説明する。
制御部２が低電圧検出部１８から低電圧検出信号を受け取らない場合（正常電圧時）には、制御部２は、電力の供給制限を行わない通常モード制御処理を行う。すなわち、制御部２は、携帯電話機１の構成各部へ電源部１７からの電力供給制限を行うことなく、電力が供給されるように制御する。
次に、図８に示すように、ステップＳＥ１１で、制御部２は、電源部１７の出力電圧を監視し、低電圧検出部１８から低電圧検出信号を受け取ると、ステップＳＥ１２へ進み、これ以外の場合は、ステップＳＥ１１を繰り返す。
【００４５】
ステップＳＥ１２では、制御部２は、終了準備処理を行う。すなわち、制御部２は、まず、データ保護を行う。ここで、制御部２は、例えば、作成中の電子メール本文のデータを記憶部３の所定の領域に退避させる。
次に、制御部２は、電源切断タイマのカウントを開始する。
次に、制御部２は、主表示部７に、低電圧状態である警告メッセージと低電圧モードへの移行を選択するための選択操作画面とを表示させる。
次に、制御部２は、リンガ発生部１４を鳴動させる、さらに、発光部１５に点滅表示させる。
【００４６】
次に、ステップＳＥ１３で、制御部２は、電源切断タイマがカウントオーバとなったか否か判断し、カウントオーバとなった場合は、電源切断を実行する（ステップＳＥ１４）。
次に、ステップＳＥ１５で、制御部２は、操作部９において、電源オン操作が行われたか否か判断する。
ここで、所定のキーが押下された場合は、ステップＳＥ１６へ進む。この例では、通常の電源キー以外のキーが用いられる。
ステップＳＥ１６では、電源オンとされると共に、制御部２は、電力の供給先や供給量を制限して電池の残容量を必要な部位の動作に有効に用いるための低電圧モードで、各部の制御を行う。
この後、低電圧モードでも機能維持が困難な所定値以下の低電圧が検出された場合は、電源切断タイマのカウントを再開し、制御部２は、電源切断タイマがカウントオーバとなったか否か判断し、カウントオーバとなった場合は、電源切断を実行する（ステップＳＥ１７）。
【００４７】
この例の構成によれば、上述した実施例１と略同様の効果を得ることができる。
加えて、制御部２は、電源部１７からの電力の供給停止時に、操作部９から電力供給開始要求を受け取った場合に、低電圧状態であっても、電源部１７に電力の供給を開始させるので、低電圧状態でも電源オンとすることができ、ユーザにとっての利便性を向上させ、低電圧時でも確実に必要な機能を果たすことができる。
【００４８】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、低電圧下で、通話機能を確保する場合につ述べたが、文字メッセージの送受信機能を最低限確保して、より消費電力を抑えるようにしても良い。
また、所定の低電圧時に、通話相手に低電圧下での通話である旨の音声メッセージを送話するようにしても良い。
【００４９】
また、電力供給制御処理の一部又は全部を専用のハードウェアを用いて行い、一部を対応するプログラムを実行して処理するようにしても良い。例えば、専用の計時回路を設けても良い。
また、ステップＳＡ１７（ステップＳＣ１８）を実行した後、ステップＳＣ１９からステップＳＣ２２までの処理を省略し、このまま放置するようにしても良い。
【００５０】
また、実施例２で、通信中か否かの判断処理（ステップＳＤ１４）を、低電圧検出処理（ステップＳＤ１２）の前に実行するようにしても良い。
また、実施例３で、低電圧状態の電源オンと同時に、例えば通話開始となる機能を１つのキーに担わせても良いし、異なる一連の機能を別々のキー又は複数のキーの組合せによって実現するように構成しても良い。
例えば、電源キー以外の所定のキー（例えば、テンキー「１」等）の押下によって、低電圧状態で電源オフ後に、電源オンとする場合について述べたが、例えば、テンキー「１」の押下によって、電源オンとともに所定の通信先へ発呼して、緊急呼を可能とするように構成しても良い。
【００５１】
また、上記所定のキーは、テンキーとは限らず任意に設定可能であり、例えば、通常電源キーとして用いるキーを低電圧状態でも電源キーとして用いても良い。
また、実施例３では、通常の状態で電源切断操作が行われた後に、バッテリが消耗して低電圧状態となった場合にも同様に、電源オンで低電圧モードで動作がなされるようにしても良い。
また、低電圧時に限らず、省電力を目的として、電源部からの電力の供給先や供給量を制限するようにしても良い。
【産業上の利用可能性】
【００５２】
携帯端末としては、携帯電話機のほか、データ通信機能を有する簡易型携帯電話（ＰＨＳ）端末や、携帯情報端末（ＰＤＡ）、携帯型のコンピュータを用いる場合に適用できる。
【図面の簡単な説明】
【００５３】
【図１】この発明の第１実施例である携帯電話機の構成を示すブロック図である。
【図２】同携帯電話機の記憶部の構成を示すブロック図である。
【図３】同携帯電話機の動作を説明するための処理手順図である。
【図４】同携帯電話機の動作を説明するための処理手順図である。
【図５】同携帯電話機の動作を説明するための処理手順図である。
【図６】同携帯電話機の動作を説明するための説明図である。
【図７】この発明の第２実施例である同携帯電話機の動作を説明するための処理手順図である。
【図８】この発明の第３実施例である同携帯電話機の動作を説明するための処理手順図である。
【符号の説明】
【００５４】
１      携帯電話機（携帯端末）
２      制御部（電力供給制御手段）
３      記憶部
５      無線通信部（通信制御手段）
７      主表示部（表示手段）
９      操作部（操作手段）
１４      リンガ発生部
１７      電源部（電力供給手段）
１８      低電圧検出部（電池電圧検出手段）
【図１】
2005295022.tif 000003
【図２】
2005295022.tif 000004
【図３】
2005295022.tif 000005
【図４】
2005295022.tif 000006
【図５】
2005295022.tif 000007
【図６】
2005295022.tif 000008
【図７】
2005295022.tif 000009
【図８】
2005295022.tif 000010